(57)【要約】【課題】必要な操作部を照明することで消費電力を抑制する。【解決手段】操作ボタン１１、１２、１３はそれぞれ、ＬＥＤ８ａ、８ｂ、８ｃにより照明される。第１の操作ボタン１１は、モニタ４を使用してカメラ設定を行う際に使用される。第２の操作ボタン１２は、上面表示パネル５を使用して撮影条件を設定する際に使用される。第３の操作ボタン１３は、モニタ４を使用して再生画像に関する操作を行う際に使用される。ＬＥＤ８の制御により、制御部３は、モニタ４が表示状態である場合は、第１の操作ボタン１１または第３の操作ボタン１３を照明すると共に第２の操作ボタン１２を照明せず、上面表示パネル５が表示状態である場合は、第２の操作ボタン１２を照明すると共に操作ボタン１１、１３を照明しない。【選択図】図３
2019075689.tif 000002
【特許請求の範囲】
【請求項１】
撮像装置であって、
撮像手段と、
撮影条件以外の前記撮像装置の設定に関する画面、または前記撮像手段により撮像された画像が表示される第１の表示部と、
撮影条件設定用の画面が表示される第２の表示部と、
前記第１の表示部による表示に関する操作を行うための第１の操作部と、
前記第２の表示部による表示に関する操作を行うための第２の操作部と、
前記第１の操作部及び前記第２の操作部のそれぞれを照明する照明手段と、
前記第１の表示部及び前記第２の表示部の表示状態に応じて、前記照明手段による前記第１の操作部及び前記第２の操作部の照明を制御する制御手段と、を有することを特徴とする撮像装置。
【請求項２】
前記制御手段は、前記第１の表示部が表示状態である場合は、前記第１の操作部を照明すると共に前記第２の操作部を照明せず、前記第２の表示部が表示状態である場合は、前記第２の操作部を照明すると共に前記第１の操作部を照明しないよう、前記照明手段を制御することを特徴とする請求項１に記載の撮像装置。
【請求項３】
前記第１の表示部と前記第２の表示部とは排他的に表示状態となることを特徴とする請求項１または２に記載の撮像装置。
【請求項４】
前記第１の操作部と前記第１の表示部とは、前記撮像装置の本体における共通の面に配置され、前記第２の操作部と前記第２の表示部とは、前記本体における共通の面に配置されることを特徴とする請求項１〜３のいずれか１項に記載の撮像装置。
【請求項５】
前記第１の操作部は、前記第１の表示部における第１の表示内容に関する操作を行うための操作部であり、
さらに、前記第１の表示部における第２の表示内容に関する操作を行うための第３の操作部を有し、
前記制御手段は、前記第１の表示部に前記第１の表示内容が表示されている場合は、前記第１の操作部を照明すると共に前記第２の操作部及び前記第３の操作部を照明せず、前記第１の表示部に前記第２の表示内容が表示されている場合は、前記第３の操作部を照明すると共に前記第１の操作部及び前記第２の操作部を照明しないよう、前記照明手段を制御することを特徴とする請求項１に記載の撮像装置。
【請求項６】
前記第１の表示内容は、撮影条件以外の前記撮像装置の設定に関する情報であり、
前記第２の表示内容は、前記撮像手段により撮像された画像であり、
前記制御手段は、前記第１の操作部を照明する継続時間よりも、前記第３の操作部を照明する継続時間の方が長くなるように、前記照明手段を制御することを特徴とする請求項５に記載の撮像装置。
【請求項７】
撮像手段と、
動作モードとして、撮影条件以外の装置の設定をする第１のモード及び撮影条件を設定する第２のモードを選択的に設定する設定手段と、
前記第１のモードに関する操作を行うための第１の操作部と、
前記第２のモードに関する操作を行うための第２の操作部と、
前記第１の操作部及び前記第２の操作部のそれぞれを照明する照明手段と、
前記設定手段により設定された動作モードに応じて、前記照明手段による前記第１の操作部及び前記第２の操作部の照明を制御する制御手段と、を有することを特徴とする撮像装置。
【請求項８】
前記制御手段は、前記第１のモードが設定されている場合は、前記第１の操作部を照明すると共に前記第２の操作部を照明せず、前記第２のモードが設定されている場合は、前記第２の操作部を照明すると共に前記第１の操作部を照明しないよう、前記照明手段を制御することを特徴とする請求項７に記載の撮像装置。
【請求項９】
前記設定手段は、前記動作モードとして前記第１のモード、前記第２のモード及び第３のモードを選択的に設定し、
前記第３のモードに関する操作を行うための第３の操作部を有し、
前記制御手段は、前記第１のモードが設定されている場合は、前記第１の操作部を照明すると共に前記第２の操作部及び前記第３の操作部を照明せず、前記第２のモードが設定されている場合は、前記第２の操作部を照明すると共に前記第１の操作部及び前記第３の操作部を照明せず、前記第３のモードが設定されている場合は、前記第３の操作部を照明すると共に前記第１の操作部及び前記第２の操作部を照明しないよう、前記照明手段を制御することを特徴とする請求項７または８に記載の撮像装置。
【請求項１０】
前記第３のモードは前記撮像手段により撮像された画像を再生表示するモードであり、
前記制御手段は、前記第１の操作部を照明する継続時間よりも、前記第３の操作部を照明する継続時間の方が長くなるように、前記照明手段を制御することを特徴とする請求項９に記載の撮像装置。
【請求項１１】
前記制御手段は、前記第２の操作部を照明する継続時間よりも、前記第３の操作部を照明する継続時間の方が長くなるように、前記照明手段を制御することを特徴とする請求項１０に記載の撮像装置。
【請求項１２】
前記第１の操作部と前記第３の操作部とは、前記撮像装置の本体における共通の面に配置されることを特徴とする請求項５、６、９、１０または１１に記載の撮像装置。
【請求項１３】
前記制御手段は、前記照明手段により前記各操作部を照明する場合は、所定時間、継続して照明するよう制御し、照明中の操作部が操作されると、操作された操作部の照明継続時間を延長することを特徴とする請求項１〜１２のいずれか１項に記載の撮像装置。
【発明の詳細な説明】
【技術分野】
【０００１】
本発明は、操作部を有する撮像装置に関する。
【背景技術】
【０００２】
従来、電子機器において、操作部を有し、使用者の指示により操作部の発光が可能な電子機器がある。これらの電子機器において、周囲の明るさを検知し、その明るさに応じて操作部の光量を制御する電子機器が知られている。特許文献１には、操作部と表示部とイメージセンサを備え、イメージセンサで本体周辺の明るさを検出し、検出した明るさに応じて、操作部を照明する輝度を多段階に調節し、発光にかかる消費電力を低減する携帯電話機が記載されている。
【先行技術文献】
【特許文献】
【０００３】
【特許文献１】特開２００３−１１０６８１号公報
【発明の概要】
【発明が解決しようとする課題】
【０００４】
しかしながら、特許文献１では、周辺の明るさに応じた最適輝度で操作部を発光させるが、発光させるべき操作部の選択についての言及はない。状況によっては、操作される確率の低い操作部が生じ得る。例えば、撮像装置においては、表示状態やモードによって、主に使用される操作部が変わり得る。従って、操作される確率の低い操作部までも一律に発光させると、電力が無駄に消費されるという問題があった。
【０００５】
本発明は、必要な操作部を照明することで消費電力を抑制することを目的とする。
【課題を解決するための手段】
【０００６】
上記目的を達成するために本発明は、撮像装置であって、撮像手段と、撮影条件以外の前記撮像装置の設定に関する画面、または前記撮像手段により撮像された画像が表示される第１の表示部と、撮影条件設定用の画面が表示される第２の表示部と、前記第１の表示部による表示に関する操作を行うための第１の操作部と、前記第２の表示部による表示に関する操作を行うための第２の操作部と、前記第１の操作部及び前記第２の操作部のそれぞれを照明する照明手段と、前記第１の表示部及び前記第２の表示部の表示状態に応じて、前記照明手段による前記第１の操作部及び前記第２の操作部の照明を制御する制御手段と、を有することを特徴とする。
【発明の効果】
【０００７】
本発明によれば、必要な操作部を照明することで消費電力を抑制することができる。
【図面の簡単な説明】
【０００８】
【図１】撮像装置の背面側、正面側の斜視図である。
【図２】デジタルカメラのブロック図である。
【図３】ボタン発光制御処理のフローチャートである。
【図４】カメラ設定モード時におけるデジタルカメラの背面側、上面側の図である。
【図５】撮影条件設定モード時におけるデジタルカメラの背面側、上面側の図である。
【図６】再生モード時におけるデジタルカメラの背面側、上面側の図である。
【図７】ボタン発光制御処理のフローチャートである。
【発明を実施するための形態】
【０００９】
以下、図面を参照して本発明の実施の形態を説明する。
【００１０】
（第１の実施の形態）
図１（ａ）、（ｂ）は、本発明の第１の実施の形態に係る撮像装置の背面側、正面側の斜視図である。この撮像装置は、一例としてデジタルカメラ１として構成される。デジタルカメラ１は、その本体の背面１ｘにモニタ４（第１の表示部）を備える。モニタ４は、液晶等で構成され、撮影された画像を再生表示したり、デジタルカメラ１の設定などを表示したりする。デジタルカメラ１の上面１ｚには、上面表示パネル５（第２の表示部）が設けられる。上面表示パネル５は、絞り値、ＩＳＯ感度、シャッタ速度など、撮影に関する種々の撮影条件設定を表示する。レンズ通信部７（図１（ｂ））は、不図示の交換レンズが装着されると、デジタルカメラ１の本体と交換レンズとの間で通信を行う。
【００１１】
デジタルカメラ１の背面１ｘには、第１の操作部としての第１の操作ボタン１１（１１ａ、１１ｂ、１１ｃ）のほか、操作ボタン１６が配置される。これらの操作ボタン１１、１６は、ユーザがモニタ４に正対した際に各操作ボタンの天面が視認できるよう、モニタ４と共通の背面１ｘに設置されている。操作ボタン１１、１６は、デジタルカメラ１の設定、すなわち撮影条件以外の装置設定（カメラ設定）を行う際に使用される。特に、上面表示パネル５に撮影条件設定用の画面（撮影条件設定画面）が表示されている場合やモニタ４に再生画面が表示されている場合に、操作ボタン１１、１６が押圧操作されると、モニタ４の表示はカメラ設定画面へ遷移する。モニタ４にカメラ設定画面が表示されている場合に操作ボタン１６が押圧操作されると、モニタ４の表示が消え、上面表示パネル５に撮影条件設定画面が表示される。
【００１２】
第２の操作部としての第２の操作ボタン１２（１２ａ、１２ｂ、１２ｃ、１２ｄ、１２ｅ、１２ｆ）は、ユーザが上面表示パネル５と正対した際に、各ボタンの天面が視認できるよう、上面表示パネル５と共通の上面１ｚに配置されている。第２の操作ボタン１２は、上面表示パネル５を使用して撮影条件を設定する際に使用される。背面１ｘには、第３の操作部としての第３の操作ボタン１３（１３ａ、１３ｂ、１３ｃ）のほか、操作ボタン１７が配置されている。操作ボタン１３、１７は、モニタ４を使用して、再生画像の拡大縮小や削除、お気に入り登録など、再生画像に関する操作を行う際に使用される。特に上面表示パネル５に撮影条件設定画面が表示されている場合やモニタ４にカメラ設定画面が表示されている場合に、操作ボタン１７、１３が押圧操作されると、モニタ４の表示は再生画面へ遷移する。モニタ４に再生画面が表示されている場合に、操作ボタン１７が押圧操作されると、モニタ４の表示が消え、上面表示パネル５に撮影条件設定画面が表示される。
【００１３】
操作ボタン１１、１２、１３、１６、１７の各天面は、光を透過する素材と透過しない素材の組合せで構成されている。操作ボタン１１、１６の内部にはＬＥＤ８ａが備えられ、操作ボタン１２の内部にはＬＥＤ８ｂが備えられ、操作ボタン１３、１７の内部にはＬＥＤ８ｃが備えられる。各ボタンの天面には、当該ボタンの機能を表す文字や図などが、光を透過する素材と透過しない素材の組合せによって描かれている。照明手段としてのＬＥＤ８（８ａ、８ｂ、８ｃ）が発光して、対応するボタンの天面を照明することで、ユーザは、暗所でも各ボタンの場所とその機能を視認できる。透過部材からなる操作ボタンの天面をＬＥＤ８が照明する構成を採用したが、この構成に限らず、操作部のそれぞれを照明できる構成であればよい。
【００１４】
デジタルカメラ１の上面１ｚには、発光を指令するための発光ボタン１５が設けられる。レリーズボタン１４は、撮影を指示するためのボタンであり、半押しによりＳＷ１信号が発生し、全押しによりＳＷ２信号が発生する。制御手段としての制御部３（図２）は、ＳＷ１信号を受けて被写体への合焦動作や露出演算など、撮影前の種々の準備を行い、続いてＳＷ２信号を受けると、シャッタ６（図２）を走行させ、撮像手段としての撮像素子２（図２）に被写体像を露光する。
【００１５】
図２は、デジタルカメラ１のブロック図である。デジタルカメラ１は、マイクロコンピュータからなる制御部３を有する。制御部３は、デジタルカメラ１全体の動作制御や記憶を司り、各要素からの情報の処理や各要素に対する指示、及び、各情報の記憶を行う。制御部３には、撮像素子２、モニタ４、上面表示パネル５、シャッタ６、レンズ通信部７、第１の操作ボタン１１、第２の操作ボタン１２、第３の操作ボタン１３、操作ボタン１６、１７、レリーズボタン１４、発光ボタン１５が電気的に接続されている。交換レンズ２０において、カメラ通信部２１は、デジタルカメラ１の本体との通信を行う。カメラ通信部２１は、交換レンズ２０がデジタルカメラ１に装着されると、レンズ通信部７と電気的に接続し、第２の操作ボタン１２で設定された絞り値や、デジタルカメラ１で演算されたフォーカスレンズ駆動量などを通信で取得する。レンズ制御部２２は、レリーズボタン１４の操作に応じて、カメラ通信部２１から得られた情報をもとに絞り２３やフォーカスレンズ２４を駆動する。
【００１６】
制御部３によるＬＥＤ８ａ、８ｂ、８ｃの発光制御について、その詳細は図３で後述するが、ここで概説する。制御部３は、発光ボタン１５からの信号により、ＬＥＤ８ａ、８ｂ、８ｃの発光開始を制御することができ、制御部３に記憶された発光継続時間に従って、ＬＥＤ８ａ、８ｂ、８ｃのそれぞれの発光継続を制御する。発光継続時間が経過しなくても、レリーズボタン１４の操作によりＳＷ１信号が検知されると、制御部３は、ＬＥＤ８ａ、８ｂ、８ｃの消灯制御を行い、撮影前準備を行う。また、一部の操作ボタンに関しては、発光継続時間内に発光している（照明されている）操作ボタンの操作が検知されると、制御部３はＬＥＤ８ａ、８ｂ、８ｃの発光継続時間のカウントをリスタートし、発光継続時間を延長させる。また、制御部３は、操作ボタン１１、１２、１３、１６、１７の操作によって、デジタルカメラ１の動作モードを選択的に切り替えることができる。切り替わったモードに応じて、制御部３は、モニタ４と上面表示パネル５の点灯を切り替えたり、モニタ４に表示される内容を切り替えたりする。
【００１７】
次に、図３〜図６を用いて、ＬＥＤ８ａ、８ｂ、８ｃの発光制御（ボタン発光制御）について説明する。操作ボタン１１、１２、１３、１６、１７は、内蔵するＬＥＤ８が発光することで明るくなる。しかし、便宜上、操作ボタンがＬＥＤ８により照明されることを、「操作ボタンが発光する」と表現することもある。
【００１８】
図３は、ボタン発光制御処理のフローチャートである。図示はしないが、制御部３は、ＣＰＵ、ＲＯＭ及びＲＡＭを備える。図３の処理は、制御部３がＲＯＭに格納されたプログラムをＣＰＵがＲＡＭに読み出して実行することにより実現される。動作モードには、カメラ設定モード（第１のモード）、撮影条件設定モード（第２のモード）、再生モード（第３のモード）がある。図４（ａ）、（ｂ）は、カメラ設定モード時におけるデジタルカメラ１の背面側、上面側の図である。図５（ａ）、（ｂ）は、撮影条件設定モード時におけるデジタルカメラ１の背面側、上面側の図である。図６（ａ）、（ｂ）は、再生モード時におけるデジタルカメラ１の背面側、上面側の図である。
【００１９】
カメラ設定モードにおいては、図４（ａ）に示すように、モニタ４にはカメラ設定画面が表示されるが、図４（ｂ）に示すように、上面表示パネル５には何も表示されない。撮影条件設定モードにおいては、図５（ａ）に示すように、モニタ４には何も表示されず、図５（ｂ）に示すように、上面表示パネル５には撮影条件設定画面が表示される。再生モードにおいては、図６（ａ）に示すように、モニタ４には再生画像が表示されるが、図６（ｂ）に示すように、上面表示パネル５には何も表示されない。このように、モードによって、モニタ４と上面表示パネル５とは排他的に表示状態となり、且つ、モニタ４と上面表示パネル５とでは表示される内容が異なる。図３の説明で登場する発光継続時間（第１の所定時間Ｔ１、第２の所定時間Ｔ２、第３の所定時間Ｔ３）は、制御部３内の不図示のＲＯＭに格納されている。
【００２０】
図３のステップＳ１０１では、制御部３は、発光ボタン１５による発光指示がなされたか否かを判別する。そして発光指示がなされない場合は、制御部３は、発光を終了し（ステップＳ１０９）、すなわち発光中のＬＥＤ８があればそれを消灯制御し、図３の処理を終了する。一方、発光指示がなされた場合は、制御部３は、モニタ４が表示中であるか否かを判別する（ステップＳ１０２）。そしてモニタ４が表示中である場合は、制御部３は、モニタ４の表示内容が再生画面であるか（再生画像の表示中か）否かを判別する（ステップＳ１０３）。その判別の結果、モニタ４の表示内容が再生画面でなく、カメラ設定画面である場合は、制御部３は、第１の操作ボタン１１（１１ａ〜１１ｃ）及び操作ボタン１６に対応するＬＥＤ８ａを発光させる（ステップＳ１０４）。これにより、モニタ４のカメラ設定画面に関係する操作ボタン１１、１６が照明されて明瞭に視認される（図４（ａ））。そして制御部３は、発光時間のカウントをスタートさせる（ステップＳ１０５）。
【００２１】
次に、制御部３は、第１の操作ボタン１１（１１ａ〜１１ｃのいずれか）が操作されたか否かを判別する（ステップＳ１０６）。そして第１の操作ボタン１１の操作がない場合は、制御部３は、第１の操作ボタン１１以外の操作部（操作ボタン１２、１３、１６、１７を含む）が操作されたか否かを判別する（ステップＳ１０７）。そして第１の操作ボタン１１以外の操作部が操作されない場合は、制御部３は、発光時間のカウント開始（リスタートも含む）から第１の所定時間Ｔ１が経過したか否かを判別する（ステップＳ１０８）。そして発光時間のカウント開始から第１の所定時間Ｔ１が経過していない場合は、制御部３は、処理をステップＳ１０６に戻す。
【００２２】
発光時間のカウント開始から第１の所定時間Ｔ１が経過する前に、ステップＳ１０６において第１の操作ボタン１１が操作された場合は、制御部３は、処理をステップＳ１０５に戻す。従って制御部３は、カウントしていた発光時間をリセットして再度、カウントをスタート（リスタート）させる。これにより、ＬＥＤ８ａの発光継続時間が延長される。一方、第１の所定時間Ｔ１が経過する前に、第１の操作ボタン１１以外の操作部（操作ボタン１２、１３、１６、１７を含む）が操作されると、制御部３は、処理をステップＳ１０９に進める。また、制御部３は、操作部の操作がないまま第１の所定時間Ｔ１が経過した場合も、処理をステップＳ１０９に進める。従って、ＬＥＤ８ａの発光は、発光時間のカウント開始から第１の所定時間Ｔ１が経過するか、または第１の操作ボタン１１以外の操作部の操作があるまで継続する。
【００２３】
ステップＳ１０２においてモニタ４が表示中でない場合は、上面表示パネル５に撮影条件設定画面が表示中であり、撮影者は撮影条件の設定を行いたい可能性が高い。そこで制御部３は、第２の操作ボタン１２に対応するＬＥＤ８ｂを発光させる（ステップＳ１２４）。これにより、上面表示パネル５に表示された撮影条件設定画面に関係する操作ボタン１２が照明されて明瞭に視認される（図５（ｂ））。そして制御部３は、発光時間のカウントをスタートさせる（ステップＳ１２５）。
【００２４】
次に、制御部３は、第２の操作ボタン１２（１２ａ〜１２ｆのいずれか）が操作されたか否かを判別する（ステップＳ１２６）。そして第２の操作ボタン１２の操作がない場合は、制御部３は、第２の操作ボタン１２以外の操作部（操作ボタン１１、１３、１６、１７を含む）が操作されたか否かを判別する（ステップＳ１２７）。そして第２の操作ボタン１２以外の操作部が操作されない場合は、制御部３は、発光時間のカウント開始（リスタートも含む）から第２の所定時間Ｔ２が経過したか否かを判別する（ステップＳ１２８）。そして発光時間のカウント開始から第２の所定時間Ｔ２が経過していない場合は、制御部３は、処理をステップＳ１２６に戻す。
【００２５】
発光時間のカウント開始から第２の所定時間Ｔ２が経過する前に、ステップＳ１２６において第２の操作ボタン１２が操作された場合は、制御部３は、処理をステップＳ１２５に戻す。従って制御部３は、カウントしていた発光時間をリセットして再度、カウントをスタート（リスタート）させる。これにより、ＬＥＤ８ｂの発光継続時間が延長される。一方、第２の所定時間Ｔ２が経過する前に、第２の操作ボタン１２以外の操作部（操作ボタン１１、１３、１６、１７を含む）が操作されると、制御部３は、処理をステップＳ１０９に進める。また、制御部３は、操作部の操作がないまま第２の所定時間Ｔ２が経過した場合も、処理をステップＳ１０９に進める。従って、ＬＥＤ８ｂの発光は、発光時間のカウント開始から第２の所定時間Ｔ２が経過するか、または第２の操作ボタン１２以外の操作部の操作があるまで継続する。
【００２６】
ステップＳ１０３において、モニタ４の表示内容が再生画面である場合は、撮影者は再生画像について種々の操作をしたい可能性が高い。そこで制御部３は、第３の操作ボタン１３及び操作ボタン１７に対応するＬＥＤ８ｃを発光させ（ステップＳ１３４）、発光時間のカウントをスタートさせる（ステップＳ１３５）。これにより、モニタ４の再生画面に関係する操作ボタン１３、１７が照明されて明瞭に視認される（図６（ａ））。
【００２７】
次に、制御部３は、第３の操作ボタン１３（１３ａ〜１３ｃのいずれか）が操作されたか否かを判別する（ステップＳ１３６）。そして第３の操作ボタン１３の操作がない場合は、制御部３は、第３の操作ボタン１３以外の操作部（操作ボタン１１、１２、１６、１７を含む）が操作されたか否かを判別する（ステップＳ１３７）。そして第３の操作ボタン１３以外の操作部が操作されない場合は、制御部３は、発光時間のカウント開始（リスタートも含む）から第３の所定時間Ｔ３が経過したか否かを判別する（ステップＳ１３８）。そして発光時間のカウント開始から第３の所定時間Ｔ３が経過していない場合は、制御部３は、処理をステップＳ１３６に戻す。
【００２８】
発光時間のカウント開始から第３の所定時間Ｔ３が経過する前に、ステップＳ１３６において第３の操作ボタン１３が操作された場合は、制御部３は、処理をステップＳ１３５に戻す。従って制御部３は、カウントしていた発光時間をリセットして再度、カウントをスタート（リスタート）させる。これにより、ＬＥＤ８ｃの発光継続時間が延長される。一方、第３の所定時間Ｔ３が経過する前に、第３の操作ボタン１３以外の操作部（操作ボタン１１、１２、１６、１７を含む）が操作されると、制御部３は、処理をステップＳ１０９に進める。また、制御部３は、操作部の操作がないまま第３の所定時間Ｔ３が経過した場合も、処理をステップＳ１０９に進める。従って、ＬＥＤ８ｃの発光は、発光時間のカウント開始から第３の所定時間Ｔ３が経過するか、または第３の操作ボタン１３以外の操作部の操作があるまで継続する。
【００２９】
ところで、カメラ設定の変更操作や撮影条件の設定操作については、撮影者に予め操作する意図があるため、ボタン操作から次のボタン操作までの時間が短いと想定される。しかし再生画像に関する操作については、撮影者が再生画像を観察し判断を下すまでに時間がかかるため、ボタン操作の間隔が長くなることが想定される。そこで、第３の所定時間Ｔ３は、第１の所定時間Ｔ１や第２の所定時間Ｔ２よりも長い値に設定されている。これにより、撮影者が再生画像を観察し判断した後でも、操作すべきボタンである操作ボタン１３、１７を視認しやすいよう、ＬＥＤ８ｃの発光継続時間を長くすることができる。なお、所定時間Ｔ１、Ｔ２は共通であるが異なってもよい。
【００３０】
本実施の形態によれば、モニタ４及び上面表示パネル５の表示状態に応じて、ＬＥＤ８による操作ボタン１１、１２、１３の照明が制御される。すなわち、ＬＥＤ８の制御により、制御部３は、モニタ４が表示状態である場合は、第１の操作ボタン１１または第３の操作ボタン１３を照明すると共に第２の操作ボタン１２を照明しない（図４、図６）。また、制御部３は、上面表示パネル５が表示状態である場合は、第２の操作ボタン１２を照明すると共に操作ボタン１１、１３を照明しない（図５）。これにより、操作される確率の少ない操作部の無駄な照明を回避し、必要な操作部を照明することで、消費電力を抑制することができる。
【００３１】
また、制御部３は、モニタ４の表示状態においても、その表示内容がカメラ設定画面か再生画面かによって発光させるべきボタンを異ならせる。すなわち、ＬＥＤ８の制御により、制御部３は、モニタ４にカメラ設定画面（第１の表示内容）が表示されている場合は、操作ボタン１１を照明すると共に操作ボタン１２、１３を照明しない（図４）。また、制御部３は、モニタ４に再生画面（第２の表示内容）が表示されている場合は、操作ボタン１３を照明すると共に操作ボタン１１、１２を照明しない（図６）。これにより、表示画面の内容に応じて操作される可能性の高い操作部を照明できる。
【００３２】
また、照明中の操作部が操作されると、操作された操作部の照明継続時間が延長されるので、引き続き操作される可能性の高い操作部の照明を継続できる。
【００３３】
しかも、制御部３は、再生画面表示の場合における各操作ボタンの発光継続時間を、それ以外の画面表示の場合に比し長くした。これにより、撮影者の操作意図に沿う可能性の高いボタンの視認性がよくなり、使い勝手を向上させるとともに、意図に沿わない可能性の高いボタンの早期消光により消費電力を低減することができる。
【００３４】
また、操作ボタン１１、１３とモニタ４とは、デジタルカメラ１の本体における共通の面である背面１ｘに配置され、第２の操作ボタン１２と上面表示パネル５とは、デジタルカメラ１の本体における共通の面である上面１ｚに配置された。これにより、モニタ４、上面表示パネル５のそれぞれの表示に関する操作をする際に、関係が強く必要な操作部を視認しやすい。
【００３５】
なお、制御を簡素化する観点からは、ＬＥＤ８ａとＬＥＤ８ｃとで発光制御を共通化してもよい。従って制御部３は、モニタ４が表示状態である場合は、操作ボタン１１、１３を照明すると共に操作ボタン１２を照明せず、上面表示パネル５が表示状態である場合は、操作ボタン１２を照明すると共に操作ボタン１１、１３を照明しないようにしてもよい。この場合、操作ボタン１１、１３が第１の操作部に該当し、操作ボタン１２が第２の操作部に該当する。
【００３６】
（第２の実施の形態）
第１の実施の形態では、モニタ４及び上面表示パネル５の表示状態やモニタ４の表示内容に応じて、ＬＥＤ８の発光が制御された。これに対し、本発明の第２の実施の形態では、制御部３は、動作モードに応じてＬＥＤ８の発光を制御する。第１の実施の形態に対して図３に代えて図７を用いて本実施の形態を説明する。
【００３７】
図７は、ボタン発光制御処理のフローチャートである。この処理は、制御部３がＲＯＭに格納されたプログラムをＣＰＵがＲＡＭに読み出して実行することにより実現される。図７において、図６と同様の処理ステップには同じステップ番号が付してある。
【００３８】
まず、ステップＳ１０１において、発光指示がなされた場合は、制御部３は、現在の動作モードがカメラ設定モードであるか、撮影条件設定モードであるか、再生モードであるかを判別する（ステップＳ２００）。そして、動作モードがカメラ設定モードである場合は、制御部３は、図３で説明したのと同様にステップＳ１０４、Ｓ１０５、Ｓ１０６の処理を実行する。ステップＳ１０６での判別の結果、第１の操作ボタン１１の操作がない場合は、制御部３は、第２の操作ボタン１２（操作ボタン１６を含む）または第３の操作ボタン１３（操作ボタン１７を含む）が操作されたか否かを判別する（ステップＳ２０７）。そして、第２の操作ボタン１２（操作ボタン１６を含む）が操作された場合は、制御部３は、発光中のＬＥＤ８（ここではＬＥＤ８ａ）の発光を終了させると共に、動作モードを撮影条件設定モードに遷移させる（ステップＳ２２０）。一方、第３の操作ボタン１３（操作ボタン１７を含む）が操作された場合は、制御部３は、発光中のＬＥＤ８（ここではＬＥＤ８ａ）の発光を終了させると共に、動作モードを再生モードに遷移させる（ステップＳ２３０）。第２の操作ボタン１２（操作ボタン１６を含む）及び第３の操作ボタン１３（操作ボタン１７を含む）のいずれも操作されない場合は、制御部３は、図３で説明したのと同様にステップＳ１０８を実行する。
【００３９】
従って、発光時間のカウント開始から第１の所定時間Ｔ１が経過する前に、第１の操作ボタン１１が操作された場合は、ＬＥＤ８ａの発光継続時間が延長される。一方、第１の所定時間Ｔ１が経過する前に、第２の操作ボタン１２（操作ボタン１６を含む）または第３の操作ボタン１３（操作ボタン１７を含む）が操作されると、ＬＥＤ８ａは消灯されて撮影条件設定モードまたは再生モードに移行する。ＬＥＤ８ａの発光は、発光時間のカウント開始から第１の所定時間Ｔ１が経過するか、または、操作ボタン１２、１３、１６、１７の操作があるまで継続する。
【００４０】
ステップＳ２２０で撮影条件設定モードへ遷移した後、制御部３は、図３で説明したのと同様に、ステップＳ１２４、Ｓ１２５、Ｓ１２６の処理を実行する。ステップＳ１２６での判別の結果、第２の操作ボタン１２の操作がない場合は、制御部３は、第１の操作ボタン１１（操作ボタンを１６含む）または第３の操作ボタン１３（操作ボタン１７を含む）が操作されたか否かを判別する（ステップＳ２２７）。そして、第１の操作ボタン１１（操作ボタンを１６含む）が操作された場合は、制御部３は、発光中のＬＥＤ８（ここではＬＥＤ８ｂ）の発光を終了させると共に、動作モードをカメラ設定モードに遷移させる（ステップＳ２１０）。一方、第３の操作ボタン１３（操作ボタン１７を含む）が操作された場合は、制御部３は、発光中のＬＥＤ８（ここではＬＥＤ８ｂ）の発光を終了させると共に、動作モードを再生モードに遷移させる（ステップＳ２３０）。第２の操作ボタン１２（操作ボタン１６を含む）及び第３の操作ボタン１３（操作ボタン１７を含む）のいずれも操作されない場合は、制御部３は、図３で説明したのと同様にステップＳ１２８を実行する。
【００４１】
従って、発光時間のカウント開始から第２の所定時間Ｔ２が経過する前に、第２の操作ボタン１２が操作された場合は、ＬＥＤ８ｂの発光継続時間が延長される。一方、第２の所定時間Ｔ２が経過する前に、第１の操作ボタン１１（操作ボタンを１６含む）または第３の操作ボタン１３（操作ボタン１７を含む）が操作されると、ＬＥＤ８ｂは消灯されてカメラ設定モードまたは再生モードに移行する。ＬＥＤ８ｂの発光は、発光時間のカウント開始から第２の所定時間Ｔ２が経過するか、または、操作ボタン１１、１３、１６、１７の操作があるまで継続する。
【００４２】
ステップＳ２３０で再生モードへ遷移した後、制御部３は、図３で説明したのと同様に、ステップＳ１３４、Ｓ１３５、Ｓ１３６の処理を実行する。ステップＳ１３６での判別の結果、第３の操作ボタン１３の操作がない場合は、制御部３は、第１の操作ボタン１１（操作ボタン１６を含む）または第２の操作ボタン１２（操作ボタン１７を含む）が操作されたか否かを判別する（ステップＳ２３７）。そして、第１の操作ボタン１１（操作ボタンを１６含む）が操作された場合は、制御部３は、発光中のＬＥＤ８（ここではＬＥＤ８ｃ）の発光を終了させると共に、動作モードをカメラ設定モードに遷移させる（ステップＳ２１０）。一方、第２の操作ボタン１２（操作ボタン１７を含む）が操作された場合は、制御部３は、発光中のＬＥＤ８（ここではＬＥＤ８ｃ）の発光を終了させると共に、動作モードを撮影条件設定モードに遷移させる（ステップＳ２２０）。第１の操作ボタン１１（操作ボタン１６を含む）または第２の操作ボタン１２（操作ボタン１７を含む）のいずれも操作されない場合は、制御部３は、図３で説明したのと同様にステップＳ１３８を実行する。
【００４３】
従って、発光時間のカウント開始から第３の所定時間Ｔ３が経過する前に、第３の操作ボタン１３が操作された場合は、ＬＥＤ８ｃの発光継続時間が延長される。一方、第３の所定時間Ｔ３が経過する前に、第１の操作ボタン１１（操作ボタン１６を含む）または第２の操作ボタン１２（操作ボタン１７を含む）が操作されると、ＬＥＤ８ｃは消灯されてカメラ設定モードまたは撮影条件設定モードに移行する。ＬＥＤ８ｃの発光は、発光時間のカウント開始から第３の所定時間Ｔ３が経過するか、または、操作ボタン１１、１２、１６、１７の操作があるまで継続する。
【００４４】
このように、図７の処理によれば、ある操作ボタンの発光継続時間内に他の操作ボタンが操作されると、もともと発光していた操作ボタンが消灯されるとともにモードが遷移し、そのモードにおいて操作される確率の高い操作ボタンが発光を引き継ぐ。これにより、使用確率の低い操作ボタンについては発光が停止されるため、無駄な電力消費が回避される。
【００４５】
本実施の形態によれば、動作モードに応じて、操作ボタン１１、１２、１３の照明が制御されるので、必要な操作部を照明することで消費電力を抑制することに関し、第１の実施の形態と同様の効果を奏することができる。また、モードに応じて操作される可能性の高い操作部を照明できる。
【００４６】
なお、制御を簡素化する観点からは、ＬＥＤ８ａとＬＥＤ８ｃとで発光制御を共通化してもよい。従って制御部３は、カメラ設定モードまたは再生モードである場合は、操作ボタン１１、１３を照明すると共に操作ボタン１２を照明せず、撮影条件設定モードである場合は、操作ボタン１２を照明すると共に操作ボタン１１、１３を照明しないようにしてもよい。この場合、操作ボタン１１、１３が第１の操作部に該当し、操作ボタン１２が第２の操作部に該当し、第２のモードには、撮影条件設定モード及び再生モードが該当する。
【００４７】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００４８】
２  撮像素子
３  制御部
４  モニタ
５  上面表示パネル
８ａ、８ｂ、８ｃ  ＬＥＤ
１１  第１の操作ボタン
１２  第２の操作ボタン
１３  第３の操作ボタン
【図１】
2019075689.tif 000003
【図２】
2019075689.tif 000004
【図３】
2019075689.tif 000005
【図４】
2019075689.tif 000006
【図５】
2019075689.tif 000007
【図６】
2019075689.tif 000008
【図７】
2019075689.tif 000009